(57)【要約】【課題】容器全体の小型化を容易に図ることができると共に、酸化によって劣化し易い内容物を収容した場合でも、流通過程における内容物の劣化を効果的に回避できるポンプ付き筒容器を提供する。【解決手段】一端部を閉塞した可撓性を有するシート材料による筒１１の他端部に、ポンプ本体１５とノズル部１４とを含むポンプ装置１３を装着してなるポンプ付き筒容器１０であって、ポンプ本体１５は、筒１１の他端部１１ｂの内周面と密着する外周面部分１６を有しており、この外周面部分１６を筒１１の他端部１１ｂの内周面に密着させて筒１１で覆った状態で、ポンプ装置１３が筒１１の他端部１１ｂに装着されている。筒１１は、酸素バリア性を有するシート材料を用いて形成されている。【選択図】図１
2008120446.tif 000002
【特許請求の範囲】
【請求項１】
一端部を閉塞した可撓性を有するシート材料による筒の他端部に、ポンプ本体とノズル部とを含むポンプ装置を装着してなるポンプ付き筒容器であって、
前記ポンプ本体は、前記筒の他端部の内周面と密着する外周面部分を有しており、該外周面部分を前記内周面に密着させて前記筒で覆った状態で、前記ポンプ装置が前記筒の他端部に装着されているポンプ付き筒容器。
【請求項２】
前記筒は、酸素バリア性を有するシート材料を用いて形成されている請求項１記載のポンプ付き筒容器。
【請求項３】
前記筒の他端部の内周面と前記ポンプ本体の外周面部分とが、ヒートシール又はホットメルトによって密着接合されている請求項１又は２記載のポンプ付き筒容器。
【請求項４】
前記筒の他端部の内周面と前記ポンプ本体の外周面部分とが、ネジ嵌合又は打ち込み嵌合によって嵌着されている請求項１又は２記載のポンプ付き筒容器。
【発明の詳細な説明】
【技術分野】
【０００１】
本発明は、ポンプ付き筒容器に関し、特に、一端部を閉塞した可撓性を有するシート材料による筒の他端部に、ポンプ本体とノズル部とを含むポンプ装置を装着してなるポンプ付き筒容器に関する。
【背景技術】
【０００２】
可撓性を有するシート材料を用いた筒容器として、例えばチューブ容器は、筒状チューブの一端部に底板を接合して閉塞したり、一端部を押し潰して平坦状にシールして閉塞すると共に、他端部に肩部と口頚部とからなる口部材を一体接合することによって形成されるのが一般的であり、内容物として例えば粘性の高い液状物が収容された胴部を押圧変形させ、内容物を口頚部から吐出して使用する。また口頚部の外周面には、例えば雄ネジ突条が設けられており、この雄ネジ突条を介して口部材にキャップを着脱可能に螺着して、口頚部を開閉する。さらに、チューブ容器は、例えば筒状チューブや口部材を酸素バリヤー性を有するアルミニウムやアルミラミネート樹脂等を用いて形成することにより、その酸素バリヤー機能によって、収容した内容物の劣化を長期間に亘って防止する。
【０００３】
一方、チューブ容器は、内容物の種類や使用目的等に応じて、種々の形態のものが開発されている。例えば、胴部を押圧するのではなく、口頚部に取り付けたポンプ装置によって、収容された内容物を吸引しつつポンプ装置のノズル部から吐出させるチューブ容器が開示されている（例えば、特許文献１参照）。このようなチューブ容器では、例えば雄ネジ突条が設けられた口頚部を利用して、雌ネジ部を有する連結部材を介してポンプ装置をチューブ容器の口部材に装着固定する。
【特許文献１】特開平８−１１９０５号公報
【発明の開示】
【発明が解決しようとする課題】
【０００４】
しかしながら、従来のポンプ装置を取り付けたチューブ容器では、ポンプ装置は、筒状チューブの端部から突出して設けられる口部材の口頚部に、さらに連結部材を介して取り付けられているため、筒状チューブから突出する部分が大きくなって、容器の小型化を図ることが困難になると共に、バランスを欠いたデザインになりやすい。
【０００５】
また、ポンプ装置は、一般に酸素バリヤー性に劣るポリオレフィン樹脂等によって形成されるため、可撓性を有するシート材料を用いた筒容器に酸化によって劣化し易い内容物を収容する場合には、ポンプ装置を介した酸素の流入によって、特に筒容器の使用前の流通時等において収容物に劣化が生じないようにする必要がある。
【０００６】
本発明は、容器全体の小型化を容易に図ることのできるポンプ付き筒容器を提供することを目的とする。また、本発明は、酸化によって劣化し易い内容物を収容した場合でも、使用前の流通時等における内容物の劣化を効果的に回避できるポンプ付き筒容器を提供することを目的とする。
【課題を解決するための手段】
【０００７】
本発明は、一端部を閉塞した可撓性を有するシート材料による筒の他端部に、ポンプ本体とノズル部とを含むポンプ装置を装着してなるポンプ付き筒容器であって、前記ポンプ本体は、前記筒の他端部の内周面と密着する外周面部分を有しており、該外周面部分を前記内周面に密着させて前記筒で覆った状態で、前記ポンプ装置が前記筒の他端部に装着されているポンプ付き筒容器を提供することにより、上記目的を達成したものである。
【０００８】
また、本発明のポンプ付き筒容器では、前記筒は、酸素バリア性を有するシート材料を用いて形成されていることが好ましい。
【発明の効果】
【０００９】
本発明のポンプ付き筒容器によれば、容器全体の小型化を容易に図ることができる。また、筒を酸素バリア性を有するシート材料を用いて形成すれば、容器全体の小型化と共に、酸化によって劣化し易い内容物を収容した場合でも、使用前の流通時等における内容物の劣化を効果的に回避することができる。
【発明を実施するための最良の形態】
【００１０】
本発明の好ましい一実施形態に係るポンプ付きチューブ容器１０は、図１に示すように、可撓性を有するシート材料を用いて形成した筒１１による収容胴部１２に、内容物として例えば粘性の高い液状物である染毛剤を収容し、筒１１の端部に取り付けたポンプ装置１３の作用によって、染毛剤を吸引しつつノズル部１４から吐出させて使用する、コンパクトな形状の筒容器である。
【００１１】
すなわち、本実施形態のポンプ付き筒容器１０は、一端部１１ａを閉塞した可撓性を有するシート材料による筒１１の他端部１１ｂに、ポンプ本体１５とノズル部１４とを含むポンプ装置１３を装着してなるチューブ容器であって、ポンプ本体１５は、筒１１の他端部１１ｂの内周面と密着する外周面部分１６を有しており、該外周面部分１６を筒１１の他端部１１ｂの内周面に密着させて筒１１で覆った状態で、ポンプ装置１３が筒状チューブ１１の他端部１１ｂに装着されている。
【００１２】
本実施形態では、筒１１は、可撓性を有すると共に酸素バリア性を有するシート材料として、例えばアルミラミネート樹脂によるシート材料からなり、例えば内径が１０〜５０ｍｍ程度、長さが７０〜２００ｍｍ程度の円筒状に形成される。筒１１の一端部１１ａは、例えば他端部１１ｂにポンプ装置１３を取り付け、チューブ容器を形成する際の常法に従って筒１１による収容胴部１２に内容物を充填収容した後に、公知のヒートシール手段を用いて、平坦状に押し潰しつつ、アルミラミネート樹脂シートの最内層のシーラント層同士をヒートシールすることによって閉塞される。
【００１３】
筒１１の他端部１１ｂに取り付けられるポンプ装置１３は、例えばポリオレフィン樹脂等の合成樹脂からなり、上述のように、ポンプ本体１５とノズル部１４とによって構成される。ポンプ本体１５は、内部に公知の各種のポンプ機構を備える。ノズル部１４は、ポンプ機構の例えばシリンダ部材と接続して、ポンプ本体１５から上方に突出して設けられる。例えばノズル部１４の上方からの押圧操作を繰り返すことにより、ポンプ機構によって収容胴部１２から内容物を吸引し、ノズル部１４の先端のノズル開口１４ａから、吸引した内容物を必要量吐出させる。
【００１４】
また、ポンプ装置１３のポンプ本体１５は、円筒スリープ形状の外周面部分１６によってその外殻部が構成されている。外周面部分１６は、筒１１の内径と同じか、僅かに小さい外径を有しており、その外周面は、ポンプ本体１５が筒１１の他端部１１ｂに挿入装着された際に、当該他端部１１ｂの内周面と強固に密着する。
【００１５】
実施形態では、好ましくはポンプ本体１５の外周面部分１６の外周面はヒートシール性を有するポリオレフィン樹脂等からなり、筒１１の他端部１１ｂにポンプ本体１５を装着した後に、公知のヒートシール手段を用いて、筒１１の外側からヒートシールを施すことにより、筒１１の他端部１１ｂの内周面と外周面部分１６の外周面とを、気密な状態で強固に密着接合することが可能になる。
【００１６】
また、本実施形態では、好ましくは、筒１１の他端部１１ｂに装着されたポンプ装置１３のポンプ本体１５の上端面を覆って、例えばアルミラミネート樹脂、ポリエチレンナフタレート樹脂（ＰＥＮ）、エチレンビニルアルコール共重合樹脂（ＥＶＯＨ）等の酸素バリア性に優れた樹脂からなるバリア材１７を取り付けておくこともできる。ポンプ本体１５の上端面を覆ってバリア材１７を取り付けておくことにより、筒１１の他端部１１ｂの開口端面を覆ってバリア材１７による酸素バリア層が設けられることになり、これによって、内容物である染毛剤の流通時等における劣化を、さらに効果的に回避することが可能になる。なお、筒１１の他端部１１ｂの開口端面に酸素バリア層を設ける方法として、ポンプ装置１３やポンプ本体１５の全体を酸素バリア性に優れた樹脂によって形成することも考えられるが、これらの樹脂は一般に高価であるため、バリア材１７をポンプ本体１５の上端面に取り付ける方法によって、コストダウンを図るこことが可能になる。
【００１７】
そして、上述の構成を備える本実施形態のポンプ付き筒容器１０によれば、容器全体の小型化を容易に図ることができる。すなわち、本実施形態によれば、ポンプ本体１５は、筒１１の他端部の内周面と密着する外周面部分１６を有しており、この外周面部分１６を筒１１の内周面に密着させて筒１１で覆った状態で、ポンプ装置１３が筒１１の他端部１１ｂに装着されるので、筒１１の他端部１１ｂから突出する部分を実質的にポンプ装置１３のノズル部１４の部分のみとして、容器全体の小型化を容易に図ることが可能になると共に、バランスの良いデザインで形成することが可能になる。
【００１８】
また、本実施形態によれば、容器全体の小型化を容易に図ることができることに加えて、酸化によって劣化し易い内容物として、例えば染毛剤を収容した場合でも、使用前の流通時等における内容物の劣化を効果的に回避することができる。すなわち、本実施形態によれば、筒１１は、可撓性を有すると共に酸素バリア性を有するシート材料を用いて形成されており、ポンプ本体１５の外周面部分１６は、その外周面が筒１１の他端部の内周面と密着することによって、酸素バリア性を有する筒１１によって覆われることになる。またポンプ本体１５が介在することにより、筒１１の他端部１１ｂの開口端面と、内容物が収容された収容胴部１２との間には相当の距離が確保されることになるので、これらによって、内容物である染毛剤の流通時等における劣化を、効果的に回避することが可能になる。
【００１９】
なお、本発明は上記実施形態に限定されることなく種々の変更が可能である。例えば筒は、酸化によって劣化しない内容物を収容する場合には、酸素バリア性を有するシート材料を用いて形成する必要は必ずしも無く、筒の他端部の内周面とポンプ本体の外周面部分とを密着させる手段は、ヒートシールによるものの他、ホットメルトによって密着接合させる手段を採用することもできる。また、収容される内容物は、染毛剤以外の、その他の種々の流動性を有する液状の内容物であっても良い。さらに、図２に示すように、例えば筒１１の他端部１１ｂの内周面と密着させる外周面部分１６として、ポンプ本体１５の外殻部の外側にスカート壁１８を設けてダブルウォール構造とすることにより、ヒートシール時にポンプ本体１５に負荷を与えないようにすることもできる。さらにまた、図３（ａ），（ｂ）に示すように、フランジヒートシールを施すこともできる。
【００２０】
また、筒の他端部の内周面とポンプ本体の外周面部分とを密着させた状態でポンプ装置を筒の他端部に装着させる手段としては、図４（ａ）に示すようなネジ嵌合や、図４（ｂ）に示すような打ち込み嵌合によってポンプ装置を嵌着することにより密着させる手段を採用することもできる。
【図面の簡単な説明】
【００２１】
【図１】本発明の好ましい一実施形態に係るポンプ付き筒容器の構成を説明する縦断面図である。
【図２】ポンプ装置を筒の他端部に装着する他の形態を例示する部分断面図である。
【図３】（ａ），（ｂ）は、ポンプ装置を筒の他端部に装着するさらに他の形態を例示する部分断面図である。
【図４】（ａ），（ｂ）は、ポンプ装置を筒の他端部に装着するさらに他の形態を例示する部分断面図である。
【符号の説明】
【００２２】
１０  ポンプ付き筒容器
１１  筒
１１ａ  筒の一端部
１１ｂ  筒の他端部
１２  収容胴部
１３  ポンプ装置
１４  ノズル部
１５  ポンプ本体
１６  外周面部分
１７  バリア材
１８  スカート壁
【図１】
2008120446.tif 000003
【図２】
2008120446.tif 000004
【図３】
2008120446.tif 000005
【図４】
2008120446.tif 000006